(57)【特許請求の範囲】
【請求項１】
ダウンリンク制御情報の伝送方法であって、
ダウンリンク制御チャネルにおける巡回検査コードが準静的スケジュールセル無線ネットワーク一時識別子によってスクランブルされるものであり、新たに追加されたアンテナポート7とアンテナポート8に対応する新しい伝送モードを用い、前記伝送方法は、
基地局が、ダウンリンク制御情報に対応する物理ダウンリンク共有チャネル（ＰＤＳＣＨ
）の伝送方式を指示することに用いられるダウンリンク制御情報フォーマット1Aに従って、ダウンリンク制御情報を生成するステップと、
ユーザ装置が、前記ダウンリンク制御情報を受信し、ダウンリンク制御情報フォーマット
1Aに従って、前記ダウンリンク制御情報を取得するステップとを含み、
前記伝送方式は、単層伝送の伝送方式、単層伝送と送信ダイバーシチを同時に有する伝送方式を含み、
前記単層伝送はシングルアンテナポートの伝送方式であり、
ダウンリンク制御情報フォーマット1Aによって指示される前記伝送方式は、単層伝送の伝送方式または単層伝送と送信ダイバーシチを同時に有する伝送方式である場合に、
ダウンリンク制御情報フォーマット1Aによって示される伝送方式が単層伝送の伝送方式
である場合、前記ダウンリンク制御情報フォーマット1Aには、アンテナポートを指示することに用いられるシグナルが含まれ、または、ダウンリンク制御情報フォーマット1Aによって示される伝送方式が単層伝送の伝送方式である場合、当該層に対応するアンテナポートは、固定のアンテナポート７であり、
ダウンリンク制御情報フォーマット1Aによって示される伝送方式が単層伝送と送信ダイバーシチを同時に有する伝送方式である場合、前記ダウンリンク制御情報フォーマット1Aには、現在の伝送方式が単層伝送方式であるか送信ダイバーシチの伝送方式であるかを指示すること、及び単層伝送方式の場合のアンテナポートを指示することに用いられるシグナルが更に含まれ、
ダウンリンク制御情報フォーマット1Aにおける指示のための前記シグナルが、ハイブリッド自動再送要求プロセス数シグナルビット、新データインジケータシグナルビット、冗長バージョンシグナルビット、または変調と符号化方式中の最上位ビットシグナルビットを含む、
ダウンリンク制御情報の伝送方法。
【請求項２】
ダウンリンク制御情報フォーマット1Aによって示される伝送方式が単層伝送の伝送方式である場合、前記ダウンリンク制御情報フォーマット1Aには、アンテナポートを指示することに用いられるシグナルが含まれることとして、ダウンリンク制御情報フォーマット1Aが単層伝送を指示することに用いられる場合、アンテナポートを指示するための前記シグナルは、ハイブリッド自動再送要求プロセス数シグナルビット、新データインジケータシグナルビット、冗長バージョンシグナルビット、または変調と符号化方式中の最上位ビットシグナルビットのいずれかの1つのビットであり、前記いずれかの１つのビットが単層伝送中でのシングルアンテポートがアンテナポート７であるかアンテナポート８であるかを決定するために使用される、
請求項１に記載の伝送方法。
【請求項３】
ダウンリンク制御情報フォーマット1Aが単層伝送と送信ダイバーシチを同時に有する伝送方式を指示することに用いられる場合、ハイブリッド自動再送要求プロセス数シグナルビット、新データインジケータシグナルビット、冗長バージョンシグナルビット、または変調と符号化方式中の最上位ビットシグナルビットのいずれかの2つのビットが送信ダイバーシチと単層伝送とを区別し、及び単層伝送に対応するシングルアンテナポートがアンテナポート７であるかアンテナポート８であるかを決定するために使用される、
請求項１に記載の伝送方法。
【請求項４】
前記いずれかの2つのビット中の第１ビットを用いて送信ダイバーシチと単層伝送を区別し、単層伝送を確定した場合に、前記第2ビットを用いてシングルアンテナポートがアンテナポート７であるかアンテナポート８であるかを区別する、
請求項３に記載の伝送方法。
【請求項５】
前記いずれかの2つのビットの共通エンコードを用いて送信ダイバーシチと単層伝送とを、及び単層伝送の場合のシングルアンテナポートがアンテナポート７であるかアンテナポート８であるかを区別する、
請求項３に記載の伝送方法。
【請求項６】
共通エンコード方式が、
「00」で送信ダイバーシチを識別し、「01」で単層伝送を識別する場合、対応するアンテナポートが７であり、「10」で単層伝送を識別する場合、対応するアンテナポートが８であり、「11」が予約ビットである、
請求項５に記載の伝送方法。
【請求項７】
ダウンリンク制御情報フォーマット1Aには、フォーマット0またはフォーマット1A選択シグナル、リソース割当方式選択シグナル、リソースブロック割当シグナル、送信電力制御シグナル、ダウンリンク割当インデックスシグナル及び巡回冗長検査シグナルが更に含まれる、
請求項１に記載の伝送方法。
【請求項８】
基地局とユーザ装置とを含むダウンリンク制御情報の伝送システであって、新たに追加されたアンテナポート7とアンテナポート8に対応する新しい伝送モードを用い、
前記基地局は、ダウンリンク制御チャネルにおける巡回検査コードが準静的スケジュールセル無線ネットワーク一時識別子によってスクランブルされる場合、ダウンリンク制御情報の、対応する物理ダウンリンク共有チャネル（ＰＤＳＣＨ）の伝送方式を指示することに用いられるダウンリンク制御情報フォーマット1Aに従って、ダウンリンク制御情報を生成し、前記ダウンリンク制御情報をユーザ装置に送信するように構成され、前記伝送方式は、単層伝送の伝送方式、または単層伝送と送信ダイバーシチを同時に有する伝送方式のいずれかの１つを含み、前記単層伝送はシングルアンテナポートの伝送方式であり、
前記ユーザ装置は、前記ダウンリンク制御情報を受信した時、ダウンリンク制御情報フォーマット1Aに従って、前記ダウンリンク制御情報を取得することに用いられ、
ダウンリンク制御情報フォーマット1Aによって指示される前記伝送方式は、単層伝送の伝送方式または単層伝送と送信ダイバーシチを同時に有する伝送方式である場合に、
ダウンリンク制御情報フォーマット1Aによって示される伝送方式が単層伝送の伝送方式である場合、前記ダウンリンク制御情報フォーマット1Aには、アンテナポートを指示することに用いられるシグナルが含まれ、または、ダウンリンク制御情報フォーマット1Aによって示される伝送方式が単層伝送の伝送方式である場合、当該層に対応するアンテナポートは、固定のアンテナポート７であり、
ダウンリンク制御情報フォーマット1Aによって示される伝送方式が単層伝送と送信ダイバーシチを同時に有する伝送方式である場合、前記ダウンリンク制御情報フォーマット1Aには、現在の伝送方式が単層伝送方式であるか送信ダイバーシチの伝送方式であるかを指示すること、及び単層伝送方式の場合のアンテナポートを指示することに用いられるシグナルが更に含まれ、
ダウンリンク制御情報フォーマット1Aが、ハイブリッド自動再送要求プロセス数シグナルビット、新データインジケータシグナルビット、冗長バージョンシグナルビット、または変調と符号化方式中の最上位ビットシグナルビットという指示のための前記シグナルを含む、
ダウンリンク制御情報の伝送システム。
【請求項９】
ダウンリンク制御情報フォーマット1Aによって示される伝送方式が単層伝送の伝送方式である場合、前記ダウンリンク制御情報フォーマット1Aには、アンテナポートを指示することに用いられるシグナルが含まれることとして、ダウンリンク制御情報フォーマット1Aが単層伝送を指示することに用いられる場合、アンテナポートを指示するためのシグナルは、ハイブリッド自動再送要求プロセス数シグナルビット、新データインジケータシグナルビット、冗長バージョンシグナルビット、または変調と符号化方式中の最上位ビットシグナルビットのいずれかの1つのビットであり、前記いずれかの１つのビットを用いて単層伝送中でのシングルアンテポートがアンテナポート７であるかアンテナポート８であるかを区別する、
請求項８に記載の伝送システム。
【請求項１０】
ダウンリンク制御情報フォーマット1Aが単層伝送と送信ダイバーシチを同時に有する伝送方式を指示することに用いられる場合、ハイブリッド自動再送要求プロセス数シグナルビット、新データインジケータシグナルビット、冗長バージョンシグナルビット、または変調と符号化方式中の最上位ビットシグナルビットのいずれかの2つのビットを用いて送信ダイバーシチと単層伝送とを、及び単層伝送に対応するシングルアンテナポートがアンテナポート７であるかアンテナポート８であるかを区別する、
請求項９に記載の伝送システム。
【請求項１１】
前記いずれかの2つのビット中の第１ビットは、送信ダイバーシチと単層伝送を区別することに用いられ、前記第2ビットは、単層伝送を確定した場合、シングルアンテナポートがアンテナポート７であるかアンテナポート８であるかを区別することに用いられる、
請求項１０に記載の伝送システム。
【請求項１２】
前記いずれかの2つのビットの共通エンコードを用いて、送信ダイバーシチと単層伝送とを、及び単層伝送の場合のシングルアンテナポートがアンテナポート７であるかアンテナポート８であるかを区別することに用いられる、
請求項１０に記載の伝送システム。
【請求項１３】
共通エンコード方式が、
「00」で送信ダイバーシチを識別し、「01」で単層伝送を識別する場合、対応するアンテナポートが７であり、「10」で単層伝送を識別する場合、対応するアンテナポートが８であり、「11」が予約ビットである、
請求項１２に記載の伝送システム。
【請求項１４】
ダウンリンク制御情報フォーマット1Aには、フォーマット0またはフォーマット1A選択シグナル、リソース割当方式選択シグナル、リソースブロック割当シグナル、送信電力制御シグナル、ダウンリンク割当インデックスシグナル及び巡回冗長検査シグナルが更に含まれる、請求項８に記載の伝送システム。
【発明の詳細な説明】
【技術分野】
【０００１】
本発明は、モバイル無線通信分野に関し、特に、無線通信システムにおけるダウンリンク制御情報の伝送方法及び伝送システムに関する。
【背景技術】
【０００２】
ロング・ターム・エボリューション（LTE：Long Term Evolution）システムにおける無線フレーム（radio frame）は、周波数分割複信（FDD：Frequency Division Duplex）モードと時間分割複信（TDD：Time Division Duplex）モードとのフレーム構造を含む。FDDモードのフレーム構造について、図１に示すように、1つの10ミリ秒（ms）の無線フレームは、20個の長さ0.5ms、番号0〜19のタイムスロット（slot）から構成され、タイムスロット2iとタイムスロット2i+1から長さ1msのサブフレーム（subframe）iが構成される。TDDモードのフレーム構造について、図２に示すように、1つの10ミリ秒の無線フレームは、2つの長さ5msのハーフフレーム（half frame）から構成され、1つのハーフフレームが5つの長さ１msのサブフレームを含み、サブフレームiが2つの長さ0.5msのタイムスロット2iと2i+1に定義される。上記2種類のフレーム構造において、ノーマル循環プレフィックス（Normal CP：Normal Cyclic Prefix）にとっては、１つのタイムスロットが7つの長さ66.7マイクロ秒（us）のシンボルを含み、その中、１番目のシンボルのCP長さが5.21usであり、他の6個のシンボルの長さが4.69usであり、拡張循環プレフィックス（Extended CP：Extended Cyclic Prefix）にとっては、１つのタイムスロットが6つのシンボルを含み、全てのシンボルのCP長さがいずれも16.67usである。
【０００３】
LTEのバージョン番号は、R8（Release 8）に対応し、その追加されたバージョンに対応するバージョン番号は、R9(Release9）である。LTEにおいて、物理ダウンリンク制御フォーマット指示チャネル（PCFICH：Physical Control Format Indicator Channel）、物理ハイブリッド自動再送要求指示チャネル（PHICH：Physical Hybrid Automatic Retransmission Request Indicator Channel）、物理ダウンリンク制御チャネル（PDCCH：Physical Downlink Control Channel）という3種類の物理制御チャネルが定義される。
【０００４】
ここで、PCFICHによって搬送される情報は、1つのサブフレーム内でPDCCHを伝送する直交周波数分割多重（OFDM：Orthogonal Frequency Division Multiplexing）シンボルの数を指示することに用いられ、サブフレームの1番目のOFDM符号上で送信され、その周波数位置は、システムのダウンリンク帯域幅とセル識別子（ID：Identity）とにより決定される。
【０００５】
PHICHは、アップリンク伝送データの肯定応答/否定応答（ACK/NACK）フィードバック情報を搬送することに用いられる。PHICHの数、時間周波数位置は、PHICHが位置するダウンリンク搬送波の物理放送チャネル（PBCH：Physical Broadcast Channel）におけるシステム情報とセルIDとにより決定されてよい。
【０００６】
PDCCHは、アップリンク、ダウンリンクスケジューリング情報及びアップリンクパワー制御情報を含むダウンリンク制御情報（DCI：Downlink Control Information）を搬送することに用いられる。DCIのフォーマット（DCI format）は、DCI format 0、DCI format 1、DCI format 1A、DCI format 1B、DCI format 1C、DCI format 1D、DCI format 2、DCI format 2A、DCI format 3及びDCI format 3A等に分けられる。
【０００７】
ここで、DCI format 0は、物理アップリンク共有チャネル（PUSCH：Physical Uplink Shared Channel）のスケジューリングを指示することに用いられる。
【０００８】
DCI format 1、DCI format 1A、DCI format 1B、DCI format 1C、DCI format 1Dは、1つのPDSCHコードのスケジューリングの異なるモードに用いられる。
DCI format 2、DCI format 2Aは、空間分割多重の異なるモードに用いられる。
【０００９】
DCI format 3、DCI format 3Aは、物理アップリンク制御チャネル（PUCCH：Physical Uplink Control Channel）とPUSCHのパワー制御命令の異なるモードに用いられる。
更に、その中、DCI Format 1Aが伝送する情報は、以下のように、
(1)1ビットは、DCI Format 0 またはDCI Format 1Aを選択することに用いられる。
【００１０】
(2)１ビットは、集中仮想リソースブロック（LVRB： Localized Virtual Resource Block）または分散仮想リソースブロック（DVRB： Distributed Virtual Resource Block）のリソース割当方式を選択することに用いられる。
(3)
【化１】
0005465330.tif 000002
ビットは、リソースブロック割当（Resource Block Assignment）に用いられ、その中、
【化２】
0005465330.tif 000003
が、ダウンリンクの帯幅域を表し、リソースブロックRB（Resource Block）の数で表す。
(4)5ビットは、変調と符号化方式（MCS： Modulation and Coding Scheme）を指示することに用いられる。
【００１１】
(5)FDDシステムにおいて、3ビットは、ハイブリッド自動再送要求（HARQ： Hybrid Automatic Repeat-reQuest）プロセス数に用いられ、TDDシステムにおいて、4ビットは、HARQプロセス数に用いられる。
(6)1ビットは、新データインジケータ（NDI： New Data Indicator）に用いられる。
(7)2ビットは、冗長バージョン（RV）を指示することに用いられる。
(8)2ビットは、物理アップリンク制御チャネルPUCCHの送信電力制御（TPC：Transmit Power Control）に用いられる。
【００１２】
(9)2ビットは、ダウンリンク割当インデックス（DAI）に用いられ、この機能がTDDシステムのアップ・ダウンリンク構成のみに必要があるが、FDDシステムに必要がない。
(10)16ビットは、巡回冗長検査（CRC：Cyclic Redundancy Check）に用いられる。
【００１３】
物理ダウンリンク制御チャネルPDCCHによって伝送される物理リソースは、制御チャネルエレメント（CCE：Control Channel Element）を単位として、１つのCCEが9つのリソースエレメントグループ（REG：Resource Element Group）、即ち36個のリソースエレメント（Resource Element）であり、1つのPDCCHが1、2、4、または8個のCCEを占用するかもしれない。1、2、4、8個のCCEを占用するこの４種類のPDCCHの大きさに対して、ツリーアグリゲーション（Aggregration）を採用し、即ち、1個のCCEを占用するPDCCHは、任意のCCE位置から開始でき、2個のCCEを占用するPDCCHは、偶数のCCE位置から開始し、4個のCCEを占用するPDCCHは、4の整数倍のCCEの位置から開始し、8個のCCEを占用するPDCCHは、8の整数倍のCCEの位置から開始する。
【００１４】
各アグリゲーションレベル（Aggregration level）は、1つのサーチスペース（Search space）を定義し、共有（common）のサーチスペースとユーザ装置（UE：User Equipment）専用（UE-Specific）のサーチスペースを含む。サーチスペース全体のCCE数は、各ダウンリンクサブフレームにおいてPDFICHによって示される制御エリアが占用するOFDM符号数とPHICHのグループ数とによって決定される。UEは、サーチスペースにおいて、位置する伝送モードのDCI formatに従って、全ての可能なPDCCHビットレートに対してブラインド検出を行う。
【００１５】
UEは、上位層シグナルを介して、以下の伝送モード（transmission mode）のいずれかの1つに基づくモード準静的に設定され、ユーザ装置専用（UE-Specific）のサーチスペースのPDCCHの通知に従って、PDSCHデータ伝送を受信する。
モード１：シングルアンテナポート、ポート0（Single-antenna port：port 0）
モード２：送信ダイバーシチ （Transmit diversity）
モード３：オープンループ空間多重化（Open-loop spatial multiplexing）
モード４：クローズドループ空間多重化（Closed-loop spatial multiplexing）
モード５：マルチユーザ多入力多出力（Multi-user MIMO）
モード６：クローズドループRank＝1プレコーディング（Closed-loop Rank=1 precoding）
モード７：シングルアンテナポート、ポート5（Single-antenna port：port 5）
【００１６】
UEが上位層により、セル無線ネットワーク一時識別子（C-RNTI：Cell Radio Network Temporary Identifier）によるスクランブルされる巡回冗長検査（CRC：Cyclical Redundancy Check）を用いてPDCCHのデコードを行うように設定される場合、UEは、表１で定義された対応する組み合わせに応じて、PDCCHと全ての関連するPDSCHとをデコードするべきである。
【表１】
0005465330.tif 000004
【００１７】
UEが上位層により、準静的スケジュールセル無線ネットワーク一時識別子（SPS C-RNTI：Semi-persistently Scheduled Cell Radio Network Temporary Identifier）によるスクランブルされるCRCを用いてPDCCHのデコードを行うように設定される場合、UEは、表２で定義された対応する組み合わせに応じて、PDCCHと全ての関連するPDSCHをデコードするべきである。
【表２】
0005465330.tif 000005
【００１８】
特に、UEが上位層によりSPS C-RNTIによるスクランブルされるCRCを用いてPDCCHのデコードを行うように設定され、そして準静的スケジューリングが活性化された場合、DCI Format 1Aの情報ビットは、以下のような変化がある。
【００１９】
(1)変調と符号化方式（MCS ：Modulation and Coding Scheme）を指示することに用いられる5ビットの中で、最上位ビット（MSB： Most Significant Bit）のビット、即ち最も左のビットは、0に設定される。
【００２０】
(2)FDDシステムにおいて、ハイブリッド自動再送要求（HARQ ：Hybrid Automatic Repeat-reQuest）プロセス数に用いられる3ビット、及びTDDシステムにおいてHARQプロセス数に用いられる4ビットは、全て0に設定される。
(3) 新データインジケータ（NDI： New Data Indicator）に用いられる1ビットは0に設定される。
(4)冗長バージョン（RV）を指示することに用いられる2ビットは、0に設定される。
【００２１】
伝送モード７において、シングルアンテナポート5に基づく伝送は、ランク１の非コードブック空間多重方式に属し、単流Beamforming（ビームフォーミング）技術の応用にも属するが、現在、ダウンリンクの非コードブック伝送方式の性能を強化するために、LTEの強化バージョンR9において、1つの新しい伝送方式が提案され、ランク2の非コードブック空間多重方式に属し、即ち、複流Beamforming（ビームフォーミング）技術を採用する2アンテナポートの伝送である。
【００２２】
そのため、R9において、１つの新しい伝送モードを定義して複流ビームフォーミング（Beamforming）技術に対応する必要がある。R8における定義と同じように、この新しい伝送モードは、2種類のDCI Formatが必要があり、その中、共有（Common）サーチスペースとC-RNTIにより定義されたユーザ装置専用（UE specific）サーチスペースにおいてDCI format 1Aを採用する。
【００２３】
しかし、従来の技術的スキームにおいて、DCI format 1Aがどの伝送方式を表すか及びどのようにこれらの伝送方式を指示するかについて確定しなく、これによって、実際の応用に不便をもたらす。
【発明の概要】
【発明が解決しようとする課題】
【００２４】
本発明が解決しようとする技術的課題は、ダウンリンク制御チャネルにおける巡回検査コードが準静的スケジュールセル無線ネットワーク一時識別子（ＳＰＳ  Ｃ−ＲＮＴＩ）によってスクランブルされる場合、どのように伝送方式を指示するかの技術的課題を解決するために、ダウンリンク制御情報（ＤＣＩ）の伝送方法及び伝送システムを提供することにある。
【課題を解決するための手段】
【００２５】
上記問題を解決するために、本発明に係るダウンリンク制御情報の伝送方法は、提供される。
【００２６】
ダウンリンク制御チャネルにおける巡回検査コードが準静的スケジュールセル無線ネットワーク一時識別子によってスクランブルされる場合、前記伝送方法は、
基地局が、ダウンリンク制御情報に対応する物理ダウンリンク共有チャネル（ＰＤＳＣＨ）の伝送方式を指示することに用いられるダウンリンク制御情報フォーマット1Aに従って、ダウンリンク制御情報を生成するステップと、
ユーザ装置が、前記ダウンリンク制御情報を受信し、ダウンリンク制御情報フォーマット1Aに従って、前記ダウンリンク制御情報を取得するステップとを含め、
ここで、前記伝送方式は、単層伝送の伝送方式、送信ダイバーシチの伝送方式、単層伝送と送信ダイバーシチを同時に有する伝送方式を含み、その中、前記単層伝送はシングルアンテナポートの伝送方式であってもよい。
【００２７】
更に、前記ダウンリンク制御情報フォーマット1Aによって示される伝送方式が単層伝送の伝送方式である場合、前記ダウンリンク制御情報フォーマット1Aには、アンテナポートを指示することに用いられるシグナルが更に含まれる。 
【００２８】
ダウンリンク制御情報フォーマット1Aによって示される伝送方式が単層伝送と送信ダイバーシチを同時に有する伝送方式である場合、前記ダウンリンク制御情報フォーマット1Aには、現在の伝送方式が単層伝送方式であるか送信ダイバーシチの伝送方式であるか、及び単層伝送方式の場合のアンテナポートを指示することに用いられるシグナルがさらに含まれる。
前記単層伝送はシングルアンテナポートの伝送方式である。
更に、前記アンテナポートは、アンテナポートＭ、または、アンテナポートＮである。 
【００２９】
更に、前記ダウンリンク制御情報フォーマット1Aには、ハイブリッド自動再送要求プロセス数シグナルビット、新データインジケータシグナルビット、冗長バージョンシグナルビット、または変調と符号化方式中での最上位ビットシグナルビットという指示シグナルが更に含まれる。
【００３０】
更に、前記ダウンリンク制御情報フォーマット1Aが単層伝送を指示することに用いられる場合、アンテナポートを指示するための前記シグナルは、ハイブリッド自動再送要求プロセス数シグナルビット、新データインジケータシグナルビット、冗長バージョンシグナルビット、または変調と符号化方式中の最上位ビットシグナルビットのいずれかの1つのビットであり、前記いずれかの１つのビットを用いて、単層伝送中でのシングルアンテポートがアンテナポートＭであるかアンテナポートＮであるかを区別する。
【００３１】
更に、前記ダウンリンク制御情報フォーマット1Aが単層伝送と送信ダイバーシチを同時に有する伝送方式を指示することに用いられる場合、ハイブリッド自動再送要求プロセス数シグナルビット、新データインジケータシグナルビット、冗長バージョンシグナルビット、または変調と符号化方式中の最上位ビットシグナルビットのいずれかの2つのビットを用いて、送信ダイバーシチと単層伝送とを、及び単層伝送に対応するシングルアンテナポートがアンテナポートＭであるかアンテナポートＮであるかを区別する。
【００３２】
更に、前記いずれかの2つのビット中の第１ビットを用いて送信ダイバーシチと単層伝送を区別し、単層伝送を確定した場合に、前記第2ビットを用いてシングルアンテナポートがアンテナポートＭであるかアンテナポートＮであるかを区別する。または、前記いずれかの2つのビットの共通エンコードを用いて送信ダイバーシチと単層伝送とを、及び単層伝送の場合のシングルアンテナポートがアンテナポートＭであるかアンテナポートＮであるかを区別し、前記共通エンコード方式は、「00」で送信ダイバーシチを識別し、「01」で単層伝送を識別する場合、対応するアンテナポートがＭであり、「10」で単層伝送を識別する場合、対応するアンテナポートがＮであり、「11」が予約ビットである。
【００３３】
更に、前記ダウンリンク制御情報フォーマット1Aには、フォーマット0またはフォーマット1A選択シグナル、リソース割当方式選択シグナル、リソースブロック割当シグナル、送信電力制御シグナル、ダウンリンク割当インデックスシグナル及び巡回冗長検査シグナルを更に含まれる。
【００３４】
前記ダウンリンク制御情報フォーマット1Aが単層伝送のみを指示する場合、当該層に対応するアンテナポートは、固定のアンテナポートである。前記固定のアンテナポートは、アンテナポートＭ、またはアンテナポートＮ、またはアンテナポート５である。前記アンテナポートＭとアンテナポートＮは、それぞれポート７とポート８である。
【００３５】
本発明に係るダウンリンク制御情報の伝送システムは、基地局とユーザ装置とを含む。
前記基地局は、ダウンリンク制御チャネルにおける巡回検査コードが準静的スケジュールセル無線ネットワーク一時識別子によってスクランブルされる場合、ダウンリンク制御情報に対応する物理ダウンリンク共有チャネル（ＰＤＳＣＨ）の伝送方式を指示することに用いられるダウンリンク制御情報フォーマット1Aに従って、ダウンリンク制御情報を生成し、前記ダウンリンク制御情報をユーザ装置に送信するように構成され、前記ダウンリンク制御情報の伝送方式は、単層伝送の伝送方式、または送信ダイバーシチの伝送方式、または単層伝送と送信ダイバーシチを同時に有する伝送方式のいずれかの１つを含み、その中、前記単層伝送はシングルアンテナポートの伝送方式であってもよい。
前記ユーザ装置は、前記ダウンリンク制御情報を受信した時、ダウンリンク制御情報フォーマット1Aに従って、前記ダウンリンク制御情報を取得する。 
【００３６】
更に、前記ダウンリンク制御情報フォーマット1Aによって示される伝送方式が単層伝送の伝送方式である場合、前記ダウンリンク制御情報フォーマット1Aには、アンテナポートを指示することに用いられるシグナルが更に含まれる。 
【００３７】
ダウンリンク制御情報フォーマット1Aによって示される伝送方式が単層伝送と送信ダイバーシチを同時に有する伝送方式である場合、前記ダウンリンク制御情報フォーマット1Aには、現在の伝送方式が単層伝送方式であるか送信ダイバーシチの伝送方式であるか、及び単層伝送方式の場合のアンテナポートを指示することに用いられるシグナルが更に含まれる。
前記単層伝送はシングルアンテナポートの伝送方式である。前記アンテナポートは、新たに定義されたアンテナポートＭ、または、アンテナポートＮである。 
【００３８】
更に、前記ダウンリンク制御情報フォーマット1Aにおける指示するためのシグナルは、ハイブリッド自動再送要求プロセス数シグナルビット、新データインジケータシグナルビット、冗長バージョンシグナルビット、または変調と符号化方式中の最上位ビットシグナルビットを含む。
【００３９】
更に、前記ダウンリンク制御情報フォーマット1Aが単層伝送を指示することに用いられる場合、アンテナポートを指示するためのシグナルは、ハイブリッド自動再送要求プロセス数シグナルビット、新データインジケータシグナルビット、冗長バージョンシグナルビット、または変調と符号化方式中の最上位ビットシグナルビットのいずれかの1つのビットであり、当該いずれかの１つのビットを用いて単層伝送中でのシングルアンテポートがアンテナポートＭであるかアンテナポートＮであるかを区別する。
【００４０】
更に、前記ダウンリンク制御情報フォーマット1Aが単層伝送と送信ダイバーシチを同時に有する伝送方式を指示することに用いられる場合、ハイブリッド自動再送要求プロセス数シグナルビット、新データインジケータシグナルビット、冗長バージョンシグナルビット、または変調と符号化方式中の最上位ビットシグナルビットのいずれかの2つのビットを用いて送信ダイバーシチと単層伝送とを、及び単層伝送に対応するシングルアンテナポートがアンテナポートＭであるかアンテナポートＮであるかを区別する。前記2つのビット中の第１ビットは、送信ダイバーシチと単層伝送を区別することに用いられ、前記第2ビットは、単層伝送を確定した場合、シングルアンテナポートがアンテナポートＭであるかアンテナポートＮであるかを区別することに用いられる。前記2つのビットの共通エンコードは、送信ダイバーシチと単層伝送とを、及び単層伝送の場合のシングルアンテナポートがアンテナポートＭであるかアンテナポートＮであるかを区別することに用いられる。前記共通エンコード方式は、「00」で送信ダイバーシチを識別し、「01」で単層伝送を識別する場合、対応するアンテナポートがＭであり、「10」で単層伝送を識別する場合、対応するアンテナポートがＮであり、「11」が予約ビットである。
【００４１】
更に、前記ダウンリンク制御情報フォーマット1Aには、フォーマット0またはフォーマット1A選択シグナル、リソース割当方式選択シグナル、リソースブロック割当シグナル、送信電力制御シグナル、ダウンリンク割当インデックスシグナル及び巡回冗長検査シグナルが更に含まれる。
【００４２】
更に、前記ダウンリンク制御情報フォーマット1Aが単層伝送のみを指示する場合、当該層に対応するアンテナポートは、固定のアンテナポートである。前記固定のアンテナポートは、アンテナポートＭ、またはアンテナポートＮ、またはアンテナポート５である。前記アンテナポートＭとアンテナポートＮは、それぞれポート７とポート８である。
【発明の効果】
【００４３】
本発明に係るダウンリンク制御情報の伝送方法及び伝送システムは、LTE-AR9における複流ビームフォーミング（Beamforming）技術をサポートするために、ダウンリンク制御情報フォーマットDCI Format 1Aを定義することで、ダウンリンク制御チャネルにおける巡回検査コードが準静的スケジュールセル無線ネットワーク一時識別子によってスクランブルされる場合、単層伝送（ここでの単層伝送とはシングルアンテナポート伝送方式を意味する）、または単層伝送と送信ダイバーシチを同時に有する伝送方式を通知して、これによって、システムスケジューリングの柔軟性を保証する。
【００４４】
本発明は、システムの複雑度とシグナルのオーバーヘッドを増やすことなく、同時にシステムの性能に大きな影響を与えずに、R8中のDCI Format 1A のあるシグナルビットの意味を変えることにより、単層伝送と送信ダイバーシチとの伝送方式、及び単層伝送の場合のアンテナポートを区別し、これによって、従来技術の不足を補う。一方、LTE R8におけるDCI Format 1Aをそのまま用い、その中の一部のビットの意味を変えるに過ぎないため、LTE R8と良い交換性を持っている。  
【図面の簡単な説明】
【００４５】
【図１】図１は、従来技術におけるFDDモードのフレーム構造を示す図である。
【図２】図２は、従来技術におけるTDDモードのフレーム構造を示す図である。
【図３】図３は、本発明におけるダウンリンク制御情報の伝送システムを示す図である。
【発明を実施するための形態】
【００４６】
本発明の目的、技術的スキーム及び利点をより明確にさせるために、以下、図面を合わせて本発明を更に詳細に説明する。
図３に示すように、本発明に係るダウンリンク制御情報の伝送方法及び伝送システムは、ダウンリンク制御チャネルにおける巡回検査コードが準静的スケジュールセル無線ネットワーク一時識別子によってスクランブルされる場合、ダウンリンク制御情報フォーマット1Aを定義し、基地局がダウンリンク制御情報フォーマット1Aに従って前記ダウンリンク制御情報を生成し、ダウンリンク制御情報フォーマット1Aが、ダウンリンク伝送方式が単層伝送（ここでの単層伝送とはシングルアンテナポート伝送方式を意味する）、または送信ダイバーシチ、または単層伝送と送信ダイバーシチを同時に有する伝送方式であることを指示することができる。
【００４７】
前記ダウンリンク制御情報の伝送方法において、基地局は、ダウンリンク制御情報に対応する物理ダウンリンク共有チャネル（ＰＤＳＣＨ）の伝送方式を指示することに用いられるダウンリンク制御情報フォーマット1Aに従って、ダウンリンク制御情報を生成し、伝送方式は、単層伝送の伝送方式、送信ダイバーシチの伝送方式、単層伝送と送信ダイバーシチを同時に有する伝送方式のいずれかの１つを含み、その中、前記単層伝送はシングルアンテナポートの伝送方式を意味する。
ユーザ装置は、前記ダウンリンク制御情報を受信し、ダウンリンク制御情報フォーマット1Aに従って、前記ダウンリンク制御情報を取得する。
【００４８】
更に、前記ダウンリンク制御情報フォーマット1Aには、Format 0またはFormat 1A選択シグナル、リソース割当方式選択シグナル、リソースブロック割当シグナル、変調と符号化方式シグナル、ハイブリッド自動再送要求プロセス数シグナル、新データインジケータシグナル、冗長バージョンシグナル、送信電力制御シグナル、ダウンリンク割当インデックスシグナル及び巡回冗長検査シグナルが含まれる。
【００４９】
更に、前記ダウンリンク制御情報フォーマット1Aが単層伝送のみを指示することに用いられてよく、当該層に対応するアンテナポートは、固定のアンテナポートであり、例えば、単層に対応する固定アンテナポートは、アンテナポートＭ、またはアンテナポートＮ、またはアンテナポート５である。    
【００５０】
更に、ダウンリンク制御情報フォーマット1Aを用いて指示するためのダウンリンク伝送方式は、単層伝送であり、そしてダウンリンク制御情報フォーマット1A中のシグナルが、アンテナポートであることを更に示す。例えば、変調と符号化方式シグナルの最上位ビットはアンテナポートを指示することができる。
【００５１】
更に、ダウンリンク制御情報フォーマット1A中のシグナルを介して、ダウンリンク伝送方式が送信ダイバーシチであるか単層伝送であるかを、及び単層伝送の場合にはアンテナポートを示し、例えば、ダウンリンク制御情報フォーマット1A中の冗長バージョンシグナルの2つのビットを用いて指示する。
【００５２】
本発明により定義されるDCI Format 1Aの方式は、単層伝送（ここでの単層伝送とはシングルアンテナポート伝送方式を意味する）、または単層伝送と送信ダイバーシチを同時に有する伝送方式を指示することに用いることができ、そして更に、明確なシグナルを用いてこれらの伝送方式を指示することで、従来技術上の不足を解決する。
上記方法に基づいて、本発明は、ダウンリンク制御情報の伝送システムを好ましくは提供する。図３に示すように、当該伝送システムは、基地局とユーザ装置とを含む。
【００５３】
前記基地局は、ダウンリンク制御チャネルにおける巡回検査コードが準静的スケジュールセル無線ネットワーク一時識別子によってスクランブルされる場合、ダウンリンク制御情報フォーマット1Aに従って、ダウンリンク制御情報を生成し、前記ダウンリンク制御情報をユーザ装置に送信することに用いられ、前記ダウンリンク制御情報フォーマット1Aは、単層伝送の伝送方式、または送信ダイバーシチの伝送方式、または単層伝送と送信ダイバーシチを同時に有する伝送方式を指示することに用いられてよい、その中、前記単層伝送はシングルアンテナポートの伝送方式を意味する。
【００５４】
前記ユーザ装置は、準静的スケジュールセル無線ネットワーク一時識別子によってスクランブルされる巡回検査コードを採用して物理ダウンリンク制御チャネルのデコードを行い、デコードが成功した場合、ダウンリンク制御情報フォーマット1Aに従って、対応するダウンリンク制御情報を受信する。
【００５５】
前記ダウンリンク制御情報フォーマット1A中で、伝送方式を指示するためのシグナルは、ハイブリッド自動再送要求プロセス数シグナルビット、新データインジケータシグナルビット、冗長バージョンシグナルビット、または変調と符号化方式中の最上位ビットシグナルビットを含む。
【００５６】
ここにおいて、上記シグナルを用いて単層伝送の伝送方式を指示することは、さらに、上記シグナル中のいずれかの１つのビットを用いて、単層伝送の場合のアンテナポートを指示することができる。例えば、上記シグナル中の１つのビットを用いて単層伝送におけるシングルアンテナポートがポートＭであるかポートＮであるかを指示する。
【００５７】
上記シグナルを用いて送信ダイバーシチと単層伝送との伝送方式を同時に指示する場合、いずれかの２つのビットを用いて、それぞれ送信ダイバーシチと単層伝送を指示することができる。さらに、前記当該２つのビットを用いて、単層伝送の場合に対応するシングルアンテナポートがポートＭであるかポートＮであるかを指示することができる。
【００５８】
第１種の指示方式において、前記2つのビット中の第１ビットは、送信ダイバーシチであるか単層伝送であるかを指示することに用いられ、前記第2ビットは、前記第１ビットが単層伝送を指示する場合、対応するシングルアンテナポートがアンテナポートＭであるかアンテナポートＮであるかを好ましくは指示する。
【００５９】
第2種の指示方式において、前記2つのビットは共通エンコードを介して、送信ダイバーシチであるか単層伝送であるかを指示し、及び単層伝送を指示する場合、対応するシングルアンテナポートがアンテナポートＭであるかアンテナポートＮであるかを指示することに用いられる。
【００６０】
前記ダウンリンク制御情報フォーマット1Aは、単層伝送のみを指示することに用いられてよい、そして、当該層に対応するアンテナポートは、固定のアンテナポートであり、例えば、単層に対応する固定アンテナポートは、アンテナポートＭ、またはアンテナポートＮ、または、アンテナポート５である。
【００６１】
前記ダウンリンク制御情報フォーマット1Aには、フォーマット0またはフォーマット1A選択シグナル、リソース割当方式選択シグナル、リソースブロック割当シグナル、送信電力制御シグナル、ダウンリンク割当インデックスシグナル及び巡回冗長検査シグナルが更に含まれる。
以下、具体的な実施形態を合わせて本発明の伝送方法及び伝送システムを詳細に説明する。
【００６２】
R9において、複流Beamforming技術をサポートするために、1つの新しい伝送モードXを追加する必要があり、Xの好ましい値は８である。同時に、複流Beamformingのダブルアンテナポートの伝送方式に対して、２つの新しいアンテナポート、アンテナポートMとアンテナポートNを定義する必要があり、且つMとNの好ましい値は７と８、または６と７である。
【００６３】
本発明は、R9における複流Beamforming技術及びそれに対応する伝送モードXに対して、1つのダウンリンク制御情報フォーマットDCI Format 1Aを定義し、CommonとC-RNTIにより定義されたUE specificサーチスペースにおいて、ダウンリンク制御チャネルにおける巡回検査コードが準静的スケジュールセル無線ネットワーク一時識別子によってスクランブルされる場合、単層伝送（ここでの単層伝送とはシングルアンテナポート伝送方式を意味する）、または単層伝送と送信ダイバーシチを同時に有する伝送方式を指示することに用いられてよい。
DCI Format 1Aにより含まれる情報フィールド及びそれに対応する大きさは、表３に示す。
【表３】
0005465330.tif 000006
【００６４】
以下の実施形態において、DCI Format 1Aを用いて異なる伝送方式を指示する複数の方法を詳細に説明する。その中、前記ダウンリンク伝送モードＸは、R9標準バージョンにおいて新たに追加されたアンテナポートＭとアンテナポートＮに対応するダウンリンク伝送モードを表すことに用いられる。例えば、Ｘは、８であってよく、Ｍは、７であってよく、Ｎは、８であってよい。
実施形態１、Format 1Aが送信ダイバーシチの伝送方式のみに対応することを指示する。
【００６５】
本実施形態では、CommonとC-RNTIにより定義されたUE specificサーチスペースにおいて、ダウンリンク制御チャネルにおける巡回検査コードが準静的スケジュールセル無線ネットワーク一時識別子によってスクランブルされる場合、例えば、ＵＥが上位層により、SPS C-RNTIによるスクランブルされるCRCを用いてPDCCHをデコードするように設定される場合、DCI Format 1Aは、、表４に示すように、送信ダイバーシチの伝送方式を指示することに用いられてよい。
【表４】
0005465330.tif 000007
実施形態２、Format 1Aがシングルアンテナポートの伝送方式のみに対応することを指示し、且つアンテナポートが固定である。
【００６６】
本実施形態では、CommonとC-RNTIにより定義されたUE specificサーチスペースにおいて、ダウンリンク制御チャネルにおける巡回検査コードが準静的スケジュールセル無線ネットワーク一時識別子によってスクランブルされる場合、例えば、ＵＥが上位層により、SPS C-RNTIによるスクランブルされるCRCを用いてPDCCHをデコードするように設定される場合、DCI Format 1Aは、単層伝送の伝送方式を指示することに用いられてよい。この単層伝送とはシングルアンテナポートの伝送方式を指摘し、それに対応するアンテナポートは、以下のような複数の構成がある。
構成１：DCI Format 1Aに対応するシングルアンテナポートは、ポート５に固定され、そのモードＸにおける構成方式を表５に示す。
【表５】
0005465330.tif 000008
【００６７】
構成２：DCI Format 1Aに対応するシングルアンテナポートは、ポートＭ（Ｍが７であってよい）に固定され、そのモードＸにおける構成方式を表６に示す。
【表６】
0005465330.tif 000009
【００６８】
構成３：DCI Format 1Aに対応するシングルアンテナポートは、ポートＮ（Ｍが８であってよい）に固定され、そのモードＸにおける構成方式を表７に示す。
【表７】
0005465330.tif 000010
実施形態３、Format 1Aがシングルアンテナポートの伝送方式のみに対応することを指示し、且つアンテナポートがシグナルにより指示される。
【００６９】
本実施形態では、CommonとC-RNTIにより定義されたUE specificサーチスペースにおいて、ダウンリンク制御チャネルにおける巡回検査コードが準静的スケジュールセル無線ネットワーク一時識別子によってスクランブルされる場合、例えば、ＵＥが上位層により、SPS C-RNTIによるスクランブルされるCRCを用いてPDCCHをデコードするように設定される場合、DCI Format 1Aは、単層伝送の伝送方式を指示することに用いられてよい。この単層伝送とはシングルアンテナポートの伝送方式を指摘し、それに対応するアンテナポートは、ポートＭまたはポートＮである。
【００７０】
ＵＥが上位層により、SPS C-RNTIによるスクランブルされるCRCを用いてPDCCHをデコードするように設定され、そして、準静的スケジューリングが活性化された場合、DCI Format 1A中のHARQ Process Number （ID）シグナルビット、NDIシグナルビット、RVシグナルビット、及びMCS中のMSBシグナルビットは、全て0に設定され、即ち、これらのシグナルビットは、仮想巡回冗長検査（Virtual CRC）ビットとしてシステムのエラー検出確率を低下させることに用いられるが、他の役割を果たすことができない。従って、上記シグナルビット中の１つのビットを用いて、単層伝送中のシングルアンテナポートがポートＭであるかポートＮであるかを区別してよく、それはシステムの性能に大きな影響を与えない。例えば、表８に示すように、「0」でシングルアンテナポートＭを識別し、「1」でシングルアンテナポートＮを識別する。
【表８】
0005465330.tif 000011
または、「0」でシングルアンテナポートＮを識別し、「1」でシングルアンテナポートＭを識別する。
従って、DCI Format 1AのモードＸにおける構成方式は、表９に示す。
【表９】
0005465330.tif 000012
【００７１】
実施形態４、Format 1Aが単層伝送と送信ダイバーシチを同時に有する伝送方式のみに対応することを指示し、且つ単層伝送の場合、アンテナポートがシグナルにより指示される。
【００７２】
本実施形態では、CommonとC-RNTIにより定義されたUE specificサーチスペースにおいて、ダウンリンク制御チャネルにおける巡回検査コードが準静的スケジュールセル無線ネットワーク一時識別子によってスクランブルされる場合、例えば、ＵＥが上位層により、SPS C-RNTIによるスクランブルされるCRCを用いてPDCCHをデコードするように設定される場合、DCI Format 1Aは、単層伝送または送信ダイバーシチの伝送方式を指示することに用いられてよい。この単層伝送とはシングルアンテナポートの伝送方式を指摘し、それに対応するアンテナポートは、ポートＭまたはポートＮである。
【００７３】
ＵＥが上位層により、SPS C-RNTIによるスクランブルされるCRCを用いてPDCCHをデコードするように設定され、そして、準静的スケジューリングが活性化された場合、DCI Format 1A中のHARQ Process Number （ID）シグナルビット、NDIシグナルビット、RVシグナルビット、及びMCS中のMSBシグナルビットは、全て0に設定され、即ち、これらのシグナルビットは、仮想巡回冗長検査（Virtual CRC）ビットとしてシステムのエラー検出確率を低下させることに用いられるが、他の役割を果たすことができない。従って、上記シグナルビット中の2つのビットを用いて送信ダイバーシチと単層伝送とを、及び単層伝送に対応するシングルアンテナポートＭとＮを区別してよい、システムの性能に大きな影響を与えない。好ましくは、RVの2つのシグナルビットを用いて送信ダイバーシチと単層伝送とを、及び単層伝送に対応するシングルアンテナポートを区別してよい。
【００７４】
例えば、RV中の１番目のシグナルビットを用いて送信ダイバーシチと単層伝送との伝送方式を区別することは、表１０に示すように、「0」で送信ダイバーシチの伝送方式を識別し、「1」で単層伝送の伝送方式を識別する。
【表１０】
0005465330.tif 000013
または、「0」で単層伝送の伝送方式を識別し、「1」で送信ダイバーシチの伝送方式を識別する。
【００７５】
RV中の2番目のシグナルビットを用いて単層伝送の場合のアンテナポートを区別することは、表１１に示すように「0」でシングルアンテナポートＭを識別し、「1」でシングルアンテナポートＮを識別する。
【表１１】
0005465330.tif 000014
または、「0」でシングルアンテナポートＮを識別し、「1」でシングルアンテナポートＭを識別する。
RV中の１番目と２番目とのシグナルビットは、交換して使用されてよい。
【００７６】
RVの2つのシグナルビットを用いて共通エンコードを行なって送信ダイバーシチ、単層伝送のアンテナポートＭ、及び単層伝送のアンテナポートＮを区別してよい。例えば、「00」で送信ダイバーシチを識別し、「01」で単層伝送のアンテナポートＭを識別し、「10」で単層伝送のアンテナポートＮを識別し、「11」が予約ビットである。表１２に示すように、
【表１２】
0005465330.tif 000015
または、他の組み合わせ方式で識別する。上記形態は、形態の1種類だけであるが、RVシグナルビットの使用を限定することに用いられるものではない。
従って、DCI Format 1AのモードＸにおける構成方式は、表１３に示すように、  
【表１３】
0005465330.tif 000016
【００７７】
つまり、本発明は、R9における複流Beamforming技術に対応する新しい伝送モードＸに対して、ダウンリンク制御チャネルにおける巡回検査コードが準静的スケジュールセル無線ネットワーク一時識別子によってスクランブルされる場合、単層伝送、または単層伝送と送信ダイバーシチを同時に有する伝送方式を指示するためのDCI Format 1Aを定義し、これによって、システムのスケジューリングの柔軟性を保証する。そして、システムの複雑度とシグナルのオーバーヘッドを増やしなく、同時にシステムの性能に大きな影響を与えない場合で、R8中のDCI Format 1A のあるシグナルビットの意味を変えることにより、単層伝送と送信ダイバーシチとの伝送方式、及び単層伝送の場合のアンテナポート（ＭまたはＮ）を区別する。一方、LTE R8におけるDCI Format 1Aをそのまま用いて、その中の一部のビットの意味を変えるに過ぎないため、LTE R8と良い交換性を持っている。
【００７８】
以上は、本発明の実施形態に過ぎず、本発明を制限するものではない。本分野の当業者にとっては、本発明は各種類の変更と変化を有する。本開示の主旨精神と原則から乖離しない限り、いかなる改修、同等物との入れ替え、改良等も、本発明の特許請求の範囲内に含まれるべきである。
【図１】
0005465330.tif 000017
【図２】
0005465330.tif 000018
【図３】
0005465330.tif 000019